(57)【要約】      （修正有）【課題】強度、電磁波遮蔽や静電帯電防止性能、放熱性能などの諸特性が良く、且つ、環境保護において有利なディスプレイ用ハウジングを提供する。【解決手段】マグネシウムアロイ／アルミアロイを材料としてダイキャスト法で前枠11と後カバー12とに分割成形し、内部に液晶パネル21や回路基板22等の表示部材を直接固定するためのネジ孔座31，32を設けるとともに、電源のアース極14へ接続されるアース線13を備える。プラスチック製ハウジングとは異なり、表示部材を固定するための金属固定板や電磁波防護網が節約でき、強度、電磁波遮蔽や静電帯電防止性能、放熱性能などの諸特性が良く、回収・再利用が容易でリサイクル工程において有害物質を発生する虞も殆ど無い。【選択図】図1
0003127049.tif 000002
【実用新案登録請求の範囲】
【請求項１】
液晶テレビ、プラズマテレビ及び卓上タイプディスプレイ等のディスプレイ用ハウジングにおいて、マグネシウムアロイ／アルミアロイを材料としてダイキャスト法で前枠と後カバーとに分割成形し、内部に液晶パネルや回路基板等の表示部材を直接固定するためのネジ孔座を設けるとともに、電源のアース極へ接続されるアース線を備えたことを特徴とするディスプレイのハウジング。
【請求項２】
液晶パネルの側辺に位置決め板を設け、前記位置決め板に孔を形成し、孔に挿通したネジを上記ハウジングのネジ孔座へ締結して、液晶パネルをハウジングへ固定するように構成した請求項１記載のディスプレイのハウジング。
【請求項３】
上記ハウジングと、ハウジング内に収容される上記表示部材の相対する位置にそれぞれ孔を設け、両端にネジ孔を形成したスペーサをハウジングと表示部材の双方の孔間に介装し、ハウジング表面並びに表示部材表面からそれぞれの孔を通じてネジをスペーサのネジ孔へ締結することにより、上記表示部材をハウジング内に固定する構成とした請求項１記載のディスプレイのハウジング。
【請求項４】
上記ハウジングの内面にネジ孔座を設け、ハウジング内に収容される上記表示部材の前記ネジ孔座に対応する位置に孔を設け、一端にオネジを形成し他端にネジ孔を形成したスペーサのオネジ部をハウジングのネジ孔座へ螺合し、スペーサの先端に上記表示部材を搭載し、表示部材の孔を通じてネジをスペーサのネジ孔へ締結することにより、上記表示部材をハウジング内に固定する構成とした請求項１記載のディスプレイのハウジング。
【考案の詳細な説明】
【技術分野】
【０００１】
この考案は、液晶テレビ、プラズマテレビ及び卓上タイプディスプレイ等のハウジングに関するものであり、ディスプレイに要求される組立容易性や電磁波シールド性能などの諸性能に優れたディスプレイのハウジングに関するものである。
【背景技術】
【０００２】
液晶ディスプレイは、CRTディスプレイに比較して薄型軽量、消費電力が小さいという特長を有しており、近年の製造技術の成熟によって表示性能が向上し、価格が低減したことから、既に一般消費者を対象としたディスプレイ市場の殆どを占有しており、CRTディスプレイは特殊用途のものを除いて液晶ディスプレイに置き換わっている。
【０００３】
現在、液晶ディスプレイのハウジングは、加工容易性や製造コストなどの条件から一般にプラスチック材料が用いられている（例えば、特許文献１）。図8は、従来の液晶ディスプレイの構成の一例を示し、ハウジングはプラスチック製の前枠91と後カバー92とを嵌合させて一体化するもので、液晶ディスプレイパネル93は、背面から金属固定板94を被せて前枠91に固定され、金属固定板94の背面に回路基板95と、電磁波防護網96が取付けられる。
【特許文献１】特許公開2003-43455号公報（段落番号0002、0003等）
【考案の開示】
【考案が解決しようとする課題】
【０００４】
従来一般的なプラスチック製のディスプレイハウジングは、耐熱、耐衝撃強度及び抗テンション（引張・圧縮）強度が比較的低い。このため、ディスプレイ内に配設される液晶パネルや回路基板などの部材を直接ハウジングに装置することができず、金属固定板を必要とするので、部品点数が多く、且つ装着が煩雑でコストがかかる。また、プラスチックを材料とすることにより、以下のような問題もある。
【０００５】
1.  価格面において；  有限の石油資源は将来的に減産の一途をたどり、価格の低下は望めないため、代替材料を考慮する必要がある。また、プラスチックハウジングの生産過程中に発生する不良品は、回収して再利用するのが比較的困難で、リサイクルコストがかかり、その分のコストが材料コストに反映する。
2.  電気特性において；  プラスチック材料は、電磁波を遮蔽できず、金属性の電磁波防護網などの対策を要する。また、非導電性により静電気を帯電しやすく、帯電を防止することも容易ではない。
3.  強度面において；  前述したように、耐熱、耐衝撃強度及び抗テンション強度が低いので、外力の衝撃を受けた場合に、裂けたり孔が開いたりすることがある。
4.   耐熱性において；  ABSの溶融点は90℃、ポリカーボネート（PC）の溶融点は160℃程度で耐熱性が低い。
5.  環境に与える負荷において；  一般に、プラスチックハウジングの原料プラスチックは、有毒物質であるポリ臭化ビフェニル(PBB)やポリ臭化ジフェニルエーテル(PBDE)などの難燃剤を含み、溶解時や燃焼時に発癌性有毒ガスを発生する虞がある。欧州連合（EU）は、2006年7月1日からRoHS指令（鉛、水銀、カドミウム、六価クロム、PBB、PBDEの使用制限）、及びWEEE指令（電気・電子機器の回収、リサイクル指令）の施行を開始している。
6.  組立性において；  前述したように、一般にプラスチックハウジングは、金属性固定部材を用いて液晶パネルなどの主要部品を固定する構造であり、部品点数が多く、装着コストがかかる。
7.  外観において；  一般にプラスチック射出成形品は金属製品よりも美観や高級感に劣る。
【０００６】
従来慣用のプラスチック製ハウジングには、上に列挙したような課題があり、本考案は上記課題を解決することを目的とするものである。
【課題を解決するための手段】
【０００７】
この考案は、上記目的を達成するために提案するものであり、液晶テレビ、プラズマテレビ及び卓上タイプディスプレイ等のディスプレイ用ハウジングにおいて、マグネシウムアロイ／アルミアロイを材料としてダイキャスト法で前枠と後カバーとに分割成形し、内部に液晶パネルや回路基板等の表示部材を直接固定するためのネジ孔座を設けるとともに、電源のアース極へ接続されるアース線を備えたことを特徴とするディスプレイのハウジングを提供するものである。
【０００８】
また、液晶パネルの側辺に位置決め板を設け、前記位置決め板に孔を形成し、孔に挿通したネジを上記ハウジングのネジ孔座へ締結して、液晶パネルをハウジングへ固定するように構成したディスプレイのハウジングを提供するものである。
【０００９】
また、上記ハウジングと、ハウジング内に収容される上記表示部材の相対する位置にそれぞれ孔を設け、両端にネジ孔を形成したスペーサをハウジングと表示部材の双方の孔間に介装し、ハウジング表面並びに表示部材表面からそれぞれの孔を通じてネジをスペーサのネジ孔へ締結することにより、上記表示部材をハウジング内に固定する構成としたディスプレイのハウジングを提供するものである。
【００１０】
また、上記ハウジングの内面にネジ孔座を設け、ハウジング内に収容される上記表示部材の前記ネジ孔座に対応する位置に孔を設け、一端にオネジを形成し他端にネジ孔を形成したスペーサのオネジ部をハウジングのネジ孔座へ螺合し、スペーサの先端に上記表示部材を搭載し、表示部材の孔を通じてネジをスペーサのネジ孔へ締結することにより、上記表示部材をハウジング内に固定する構成としたディスプレイのハウジングを提供するものである。
【考案の効果】
【００１１】
この考案のディスプレイのハウジングは、マグネシウムアロイ又はアルミアロイ材料を使用することにより、プラスチック製ハウジングに比較して少なくとも以下の特徴を有する。
1.  価格面において；  マグネシウム元素及びアルミ元素は地球上における含有量が非常に豊富で価格が安定しており、回収及び再利用が比較的容易である。
2.  電気特性において；  マグネシウムアロイ又はアルミアロイは導電性を有し、ハウジングを直接アースすることで静電を排除でき、電磁波の干渉も防止できる。
3.  強度面において；  耐熱性、耐衝撃強度及び抗テンション強度が高いので、外力の衝撃を受けても破損し難い。
4.   耐熱性において；  マグネシウムアロイ又はアルミアロイの溶融点は約600℃で、比較的耐熱性が高く、しかも変形しないし、熱伝導性が良好な故、放熱性が良く、ハウジング内部の電気的環境及び温度条件を安定させる効果がある。
5.  環境に与える負荷において；  マグネシウムアロイ及びアルミアロイは、製造工程において有害物質を使用することなく生産でき、且つ生産品のライフサイクルも永く、資源及びエネルギー源の節約に寄与する。
6.  組立性において；  マグネシウムアロイ／アルミアロイのハウジングには、液晶パネルなどの表示部材を直接取付けられるので、従来慣用の金属性固定部材などは不要であり、部品点数や組立工程数を節減できる。
7.  外観において；  プラスチック射出成形品よりも高級感の有る外観を呈し、商品の付加価値が向上する効果がある。
【考案を実施するための最良の形態】
【００１２】
本考案は、液晶テレビ、プラズマテレビ及び卓上タイプディスプレイ等のディスプレイ用ハウジングにおいて、マグネシウムアロイ／アルミアロイを材料としてダイキャスト法で前枠と後カバーとに分割成形し、内部に液晶パネルや回路基板等の表示部材を直接固定するためのネジ孔座を設けるとともに、電源のアース極へ接続されるアース線を備えることにより、ディスプレイ内の金属固定板や電磁波防護網が節約でき、強度及び静電気帯電防止性能や放熱性能が良く、且つ、環境保護において有利なディスプレイ用ハウジングを提供するという目的を達成した。
【実施例１】
【００１３】
図１〜図３は、液晶ディスプレイを示し、ハウジング10は前枠11と後カバー12から組成されていて、ハウジング10内に液晶パネル21及び回路基板22とからなる表示部材20が装置される。前枠11と後カバー12はマグネシウムアロイ製又はアルミアロイ製で、ディスプレイ内に配設した表示部材20を直接装着できるので、プラスチックハウジングのディスプレイにおいて部材装着のために使用される金属固定板を節約できて、しかも迅速容易に組立できる。
【００１４】
以下、より詳細に説明する。ハウジング10は前枠11及び後カバー12から組成され、マグネシウムアロイ又はアルミアロイを材料として、ダイキャスト加工法で作成される。前枠11並びに後カバー12の所定箇所には複数のネジ孔座31，32からなる螺合構成30を設けている。
【００１５】
液晶パネル21の側辺には、図2に示す前枠11のネジ孔座31に対応する位置決め板23を形成し、位置決め板23の孔33へネジ35を挿通して、液晶パネル21を前枠11の裏面に直接固定する。また、回路基板22の縁部には、後カバー12のネジ孔座32に対応する孔34を設け、ネジ36によって後カバー12へ直接固定する。
【００１６】
ハウジング10は、マグネシウムアロイ又はアルミアロイを材料としてダイキャスト法で作成することにより、耐衝撃強度、耐熱性が高く、表示部材20を直接装着できる。また、ハウジング10にはアース線13を設けてあり、ハウジング10は導電性を有するので、アース線13を電源ラインのアース極14に接続することにより、静電気が排除される。
【実施例２】
【００１７】
図４に示す実施例２において、螺合構成40は、ハウジング10の所定箇所に設けた孔41と、ディスプレイ内に配設する表示部材20の前記孔41に相対する箇所に設けた孔42とによって構成されている。両端にネジ孔45を形成したポスト形状のスペーサ43を、ハウジング10と表示部材20の双方の孔41，42の間に介装し、孔41，42を通じて二つのネジ44をスペーサ43の両端のネジ孔45へ締結することで、表示部材20がハウジング内に浮上状態で固定される。
【実施例３】
【００１８】
図5に示す実施例３は、ハウジング10の所定箇所に設けた有底円筒状のネジ孔座51と、ディスプレイ内に配設する表示部材20の前記ネジ孔座51に相対する箇所に設けた孔52とによって螺合構成50を構成している。一端にオネジ55を形成し他端にネジ孔57を形成したポスト形状のスペーサ53のオネジ55をネジ孔座51へ螺合させ、表示部材20の孔52を通じてネジ54をスペーサ53のネジ孔57へ締結することで、表示部材20がハウジング内に浮上状態で固定される。
【実施例４】
【００１９】
図6に示す実施例４は、部品装着及び配線をさらに合理化したもので、一つ又は複数の回路基板22を一つの回路支持板24へネジ止めし、液晶パネル21の背面に位置する回路支持板24の下縁部を前枠11上へネジによって固定する。この構成によれば、ディスプレイ内に収容される表示部材20（液晶パネル21、回路基板22）をすべて前枠11上に固定することで、液晶パネル21と回路基板22間の配線を短縮できるとともに、組立及び分解も容易化する。
【００２０】
この外、マグネシウムアロイ製又はアルミアロイ製のハウジング10は高強度であるので、後カバー12上に少なくとも一個の固定掛けフック15を設け、ディスプレイ設置箇所（例えば、壁）に掛け棒16を設ければ、ディスプレイを壁面へ設置できる。掛け棒16は固定掛けフック15に対応するフック係合部17を有し、ディスプレイの固定掛けフック15を掛け棒16のフック係合部17内へ引掛けることで、ディスプレイが壁面へ固定される。
【実施例５】
【００２１】
図7に示す実施例５は、液晶パネル21の周縁に数個の位置決め螺合構成60を設けたものである。位置決め螺合構成60は、前枠11の所定箇所に配設した複数の位置決めポスト61と、液晶パネルに取付けられていて位置決めポスト61のネジ孔に相対する箇所に孔63を穿設した位置決め板62と、孔63を貫通して位置決めポスト61のネジ孔に螺合することで、液晶パネル21を前枠11の背面に固定するネジ64とを包括している。
【００２２】
前記の位置決め螺合構成60によれば、複数の位置決めポスト61の間に液晶パネル21を挿入すると、液晶パネル21の位置が自動的に位置決めされ、ディスプレイの装着が簡単化する。
【００２３】
尚、この考案は上記の実施形態に限定するものではなく、この考案の技術的範囲内において種々の改変が可能であり、この考案がそれらの改変されたものに及ぶことは当然である。
【図面の簡単な説明】
【００２４】
【図１】本考案のハウジングの組立図。
【図２】本考案のハウジングの組立図。
【図３】本考案のハウジングの側面断面図。
【図４】本考案の実施例２の螺合構成断面図。
【図５】本考案の実施例３の螺合構成断面図。
【図６】本考案の実施例４の組立図。
【図７】本考案の実施例５の位置決め螺合構成断面図。
【図８】従来のプラスチック製ディスプレイハウジングの組立図。
【符号の説明】
【００２５】
10     ハウジング
11     前枠
12     後カバー
13     アース線
14     アース極
15     固定掛けフック
16     掛け棒
17     フック係合部
20     表示部材
21     液晶パネル
22     回路基板
23     位置決め板
24     回路支持板
30     螺合構成
31,32  ネジ孔座
33,34  孔
35,36  ネジ
40     螺合構成
41,42  孔
43     スペーサ
44     ネジ
45     ネジ孔
50     螺合構成
51     ネジ孔座
52     孔
53     スペーサ
54     ネジ
55     オネジ
57     ネジ孔
60     位置決め螺合構成
61     位置決めポスト
62     位置決め板
63     孔
64     ネジ
【図１】
0003127049.tif 000003
【図２】
0003127049.tif 000004
【図３】
0003127049.tif 000005
【図４】
0003127049.tif 000006
【図５】
0003127049.tif 000007
【図６】
0003127049.tif 000008
【図７】
0003127049.tif 000009
【図８】
0003127049.tif 000010